(57)【要約】【課題】本発明は、使用者に光源の状態を常に報知できるとともに、使用者が光源の交換時期を適宜判断しやすくすることができ、かつ、光源の種類に限られることない点灯装置及び照明器具を提供する。【解決手段】本実施形態は、環形蛍光ランプ１ａ、１ｂの照明効率を常に報知するＬＥＤ４と、点灯時間累積検出手段３１と、判別手段３２と、報知情報制御手段３３とを具備する。したがって、ＬＥＤ４の報知情報から常に環形蛍光ランプ１ａ、１ｂの照明効率の状態を知らせることができるので、適切な時期に環形蛍光ランプ１ａ、１ｂの交換を促すことができる。【選択図】図３
2004127527.tif 000002
【特許請求の範囲】
【請求項１】
主光源、この主光源の点灯を制御するとともに、主光源が消灯した際に補助光源を点灯させ得るように制御することができる点灯制御手段と；
外部へ主光源の照明効率を常に報知する報知手段と；
主光源の点灯累積時間を検出する点灯時間累積検出手段と；
点灯時間累積検出手段の累積時間から主光源の照明効率を判別する判別手段と；
判別手段の判別結果に基づいて、報知手段の報知情報を可変させる報知情報制御手段と；
を具備することを特徴とする点灯装置。
【請求項２】
主光源、この主光源の点灯を制御する点灯制御手段と；
主光源の点灯累積時間を検出する点灯時間累積検出手段と；
点灯時間累積検出手段の累積時間から主光源の照明効率を判別する判別手段と；
補助光源、この補助光源を主光源が消灯した際に点灯させ得るように制御するとともに、判別手段の判別結果に基づいて、補助光源の点灯状態を可変させる補助光源制御手段と；
を具備することを特徴とする点灯装置。
【請求項３】
器具本体と；
器具本体に設けられる請求項１または２いずれか一記載の点灯装置と；
を具備することを特徴とする照明器具。
【発明の詳細な説明】
【０００１】
【発明の属する技術分野】
本発明は、主光源及び補助光源の点灯を制御し得る点灯装置及び照明器具に関する。
【０００２】
【従来の技術】
従来、特に一般家庭用の照明器具においては、光源が環形又は直管形の蛍光ランプである天井直付形の器具が多く用いられている。
【０００３】
このような照明器具の光源の交換については、使用者が照明器具を使用したときの部屋の明るさの変化等から独自で判断していたり、又は光源が寿命末期となりちらつきないし不点となった場合に交換を行うというのが一般的である。
【０００４】
しかしながら、これでは充分な照度が得られない状況であるにも関わらず光源が交換されない状況であるので、生活環境へ影響を及ぼすことがあるとともに、光源が不点となるまで使用することにより、光源及び照明器具自体へ過負荷がかかることがあるので、好ましくないのものである。
【０００５】
これを解決する方法として、本出願人は、光源の寿命末期直前の状態を外部へ報知するものを出願している（例えば、特許文献１参照。）。
【０００６】
この特許文献１記載の技術は、熱陰極形のフィラメント電極に一定電流を通流して予熱し、予熱開始からフィラメント電圧が上昇している所定時間後のフィラメント電圧を検出する。そして、フィラメント電圧と予め設定された電圧とを比較して、フィラメント電圧が設定電圧以上のときに異常信号を出力して報知手段により報知させるというものである。
【０００７】
【特許文献１】特開２００２−７５６７６（第４−６頁、第１図）
【０００８】
【発明が解決しようとする課題】
この特許文献１記載の技術は、寿命末期直前の状態を報知し得る方法として好適であるが、寿命末期直前であるので、充分な照度が確保されていない状態であっても報知がなされないこともある。
【０００９】
また、特許文献１記載の技術は、光源の種類が熱陰極形のフィラメントを具備するものに限られるので、その他の構成の光源には適用することができないものであった。
【００１０】
本発明は、上記に鑑みたものであり、使用者に光源の状態を常に報知できるとともに、使用者が光源の交換時期を適宜判断しやすくすることができ、かつ、光源の種類に限られることない点灯装置及び照明器具を提供することを目的とする。
【００１１】
【課題を解決するための手段】
請求項１記載の点灯装置は、主光源、この主光源の点灯を制御するとともに、主光源が消灯した際に補助光源を点灯させ得るように制御することができる点灯制御手段と；外部へ主光源の照明効率を常に報知する報知手段と；主光源の点灯累積時間を検出する点灯時間累積検出手段と；点灯時間累積検出手段の累積時間から主光源の照明効率を判別する判別手段と；判別手段の判別結果に基づいて、報知手段の報知情報を可変させる報知情報制御手段と；を具備することを特徴とする。
【００１２】
本発明及び以下の発明において、特に指定しない限り用語の定義および技術的意味は次による。
【００１３】
請求項１記載の発明は、まず、点灯制御手段により主光源及び補助光源の点灯状態が適宜制御される。次に、主光源が点灯している場合には点灯時間累積検出手段によりその累積点灯時間が都度検出される。
【００１４】
さらに、この点灯時間累積検出手段の検出結果から、判別手段により主光源が未使用状態であるときの照明効率を１００パーセントとした場合における現在の照明効率の状態を判別する。
【００１５】
そしてこの判別手段により判別された結果に基づいて報知情報制御手段により報知情報を可変させる。
【００１６】
なお、報知手段は判別手段に基づいて、主光源が少なくとも適正な照明効率の状態、照明効率が低下している状態及び寿命末期前の状態の情報が報知できるようになっているものである。
【００１７】
請求項１記載の発明によれば、主光源、この主光源の点灯を制御するとともに、主光源が消灯した際に補助光源を点灯させ得るように制御することができる点灯制御手段と；外部へ主光源の照明効率を常に報知する報知手段と；主光源の点灯累積時間を検出する点灯時間累積検出手段と；点灯時間累積検出手段の累積時間から主光源の照明効率を判別する判別手段と；判別手段の判別結果に基づいて、報知手段の報知情報を可変させる報知情報制御手段と；を具備することにより、主光源の照明効率を常に報知することができるので、使用者が適切な時期に主光源の交換をしやすくすることができる。
【００１８】
また、光源がいかなる構造を有していたとしても少なくとも寿命末期直前の情報を報知でいるので、寿命末期光源による種々の不具合を抑制することができる。
【００１９】
請求項２の点灯装置は、主光源、この主光源の点灯を制御する点灯制御手段と；主光源の点灯累積時間を検出する点灯時間累積検出手段と；点灯時間累積検出手段の累積時間から主光源の照明効率を判別する判別手段と；補助光源、この補助光源を主光源が消灯した際に点灯させ得るように制御するとともに、判別手段の判別結果に基づいて、補助光源の点灯状態を可変させる補助光源制御手段と；
を具備することを特徴とする。
【００２０】
請求項２記載の発明は、まず、点灯制御手段により主光源の点灯状態が適宜制御される。次に、主光源が点灯している場合には点灯時間累積検出手段によりその累積点灯時間が都度検出される。
【００２１】
さらに、この点灯時間累積検出手段の検出結果から、判別手段により主光源が未使用状態であるときの照明効率を１００パーセントとした場合における現在の照明効率の状態を判別する。
【００２２】
そしてこの判別手段により判別された結果に基づいて補助光源制御手段により補助光源の点灯状態を可変させるとともに、主光源が消灯した場合には適宜点灯させ得るように制御する。
【００２３】
なお、補助光源は、判別手段に基づいて、主光源が少なくとも適正な照明効率の状態、照明効率が低下している状態及び寿命末期前の状態の情報が報知できるようになっているものである。
【００２４】
請求項２記載の発明によれば、主光源、この主光源の点灯を制御する点灯制御手段と；主光源の点灯累積時間を検出する点灯時間累積検出手段と；点灯時間累積検出手段の累積時間から主光源の照明効率を判別する判別手段と；補助光源、この補助光源を主光源が消灯した際に点灯させ得るように制御するとともに、判別手段の判別結果に基づいて、補助光源の点灯状態を可変させる補助光源制御手段と；を具備することにより、主光源の照明効率を補助光源により報知することができるので、使用者が適切な時期に主光源の交換をしやすくすることができる。
【００２５】
また、光源がいかなる構造を有していたとしても少なくとも寿命末期直前の情報を報知でいるので、寿命末期光源による種々の不具合を抑制することができる。
【００２６】
請求項３記載の照明器具は、器具本体と；器具本体に設けられる請求項１または２いずれか一記載の点灯装置と；を具備することを特徴とする。
【００２７】
請求項３記載の発明によれば、請求項１または２いずれか一記載の作用効果を有する。
【００２８】
【発明の実施の形態】
以下、本発明の実施形態の構成を図面を参照して説明する。
【００２９】
図１ないし図３は本発明の第一実施の形態を示し、図１は第一実施形態の照明器具の断面図、図２は同じく図１の照明器具の底面図、図３は同じく点灯装置を示すブロック図、図４は同じく点灯装置の作用を説明する説明図である。
【００３０】
図において、主光源である環形蛍光ランプ１ａ、１ｂは、環状のガラスバルブ２を有し、このガラスバルブ２内には希ガスおよび水銀からなる放電媒体が封入されている。また、ガラスバルブ２の両端には電極手段としてのフィラメント電極が配設され、ガラスバルブ２の両端間に跨って口金（図示しない）が配設されている。なお、口金３には、電極に電気的に接続された４本の口金ピンが、ランプ中心側に傾いて突設されている。
【００３１】
１１は器具本体で、この器具本体１１は、外観が円形でかつ薄形に形成され、その中央には円形の開口部１２が上下方向に開口形成され、この開口部１２の周囲に収納空間を有する収納部１３が形成され、この収納部１３の周囲に環状の段部１４が形成されている。この段部１４の上方に臨む環状板部１５は、収納部１３の高さ方向の厚みよりも薄い平板状に形成されている。
【００３２】
器具本体１１の段部１４には、２本の各環形蛍光ランプ１ａ，１ｂの口金を接続する一対のソケット１６が斜め外方に向けて配設され、また、ソケット１６の位置とは対称位置に、ガラスバルブ２の外周に嵌合して保持する樹脂製または金属製の一対のランプホルダ１７が配設されている。
【００３３】
また器具本体１１の収納部１３には、開口部１２に臨んでソケット１８が配設され、このソケット１８に補助光源であるベビー球５が螺合接続されており、器具本体１１の環状の段部１４には、ランプ環径が異なる２本の環形蛍光ランプ１ａ，１ｂがそれぞれ配設される。
【００３４】
そして、環形蛍光ランプ１ａ、１ｂの口金から突出する口金ピンがソケット１６に挿入接続されているとともに、口金３と反対側のガラスバルブ２がランプホルダ１７で保持されている。
【００３５】
さらに器具本体１１の収納部１３の空間内には、点灯制御手段である高周波点灯回路３０等からなる点灯装置３が配設されている。この高周波点灯回路３０の電源入力側にはアダプタ２１が電線（図示しない）などで電気的に接続され、出力側には各ソケット１６が電線などで電気的に接続されている。
【００３６】
アダプタ２１は、高さが薄い円板状に形成され、器具本体１１の開口部１２内の下部側に図示しない連結部を介して器具本体１１に一体的に固定され、その連結部に沿って配線される電線などで上述した点灯装置３の電源入力側と接続されている。そして、アダプタ２１は、器具取付時に、天井面などに設置されている角形の引掛シーリング２２に電気的に接続されるとともに機械的に支持される。
【００３７】
また、器具本体１１の平坦部１９には、ベビー球５と開口部１２を介して対向するように報知手段であるＬＥＤ４が配設されている。
【００３８】
また、器具本体１１には、器具本体１１の下方および側方を覆ってセード２３が取着される。このセード２３は、透光性を有する乳白色材にて、下方へ大きな円弧面でありなだらかに突出する薄形状に形成されており、周縁部には器具本体１１に取付けられる取付部２４が形成されている。
【００３９】
ここで、点灯装置３について図３、４を用いて説明する。なお、図４の曲線Ｘは環形蛍光ランプ１ａ、１ｂの照明効率の変化を表すものであり、縦軸は照明効率、横軸は時間を表している。
【００４０】
点灯装置３は、高周波点灯装置３０、点灯時間累積検出手段３１、判別手段３２及び報知情報制御手段３３とからなっている。
【００４１】
高周波点灯回路３０は、例えば環形蛍光ランプ１ａが３２Ｗ形相当であった場合には４５ｋＨｚの高周波で３８Ｗの点灯電力となる条件、例えばランプ電流約４３０ｍＡ、ランプ電圧約８８Ｖを供給し、環形蛍光ランプ１ａを点灯させるように制御し、また、環形蛍光ランプ１ｂが４０Ｗ形相当であれば、４５ｋＨｚの高周波で４８Ｗのランプ電力となる条件、例えばランプ電流約４３０ｍＡ、ランプ電圧約１１１Ｖを供給し、４０Ｗ形相当の環形蛍光ランプ１ｂを点灯させるものであり、図示しないリモートコントローラや引き紐などの点灯状態切替手段で蛍光ランプ１ａ、１ｂを点灯、調光または消灯等に切りかえることができる。
【００４２】
点灯時間累積検出手段３１は、高周波点灯回路３０に接続されており、高周波点灯回路３０により少なくとも環形蛍光ランプ１ａ、１ｂのいずれか一方へ電力が供給された場合にその電力供給時間を検出して累積値として常に記憶する（これが「累積点灯時間」となる。）ものである。
【００４３】
判別手段３２は、点灯時間累積検出手段３１に接続されており、点灯時間累積検出手段３１の検出結果に基づいて、環形蛍光ランプ１ａ、１ｂの現在の照明効率を判別するものである。すなわち、図４に示すように、判別手段３２には環形蛍光ランプ１ａ、１ｂが一度も使用されたことがない未使用状態である照明効率１００パーセントである累積点灯時間０の基準値Ａが設定されている。そして、その基準値Ａに対して照明効率が適正な範囲内（例えば７０パーセント）を保てる累積点灯時間を第二基準値Ｂとして設定がされている。さらに、第二基準を超え、寿命末期直前までの累積点灯時間を第三基準値Ｃとして設定がされており、さらに、第三基準値を超え、寿命末期とされる累積点灯時間を第四基準値Ｄとして設定されている。
【００４４】
報知情報制御手段３３は、判別手段３２に接続されており、判別手段３２の判別結果に基づいてＬＥＤ４の点灯状態を可変させるようになっている。すなわち、ＬＥＤ４は報知情報制御手段３３の制御によって、例えば青、黄、赤及び点滅というように点灯状態が可変となるものである。
【００４５】
本実施形態の作用を説明する。
【００４６】
図１に示すように、器具本体１１は、天井面などに設置されている引掛シーリング２２に接続されるアダプタ２１を介して、器具本体１１が天井面などに支持されるとともに、器具本体１１側と引掛シーリング２２側とが電気的に接続され、点灯装置３へ電力が供給される。そして図示しない点灯状態切替手段により、環形蛍光ランプ１ａ，１ｂの点灯／調光／消灯及びベビー球５の点灯／消灯等が適宜選択されて、環形蛍光ランプ１ａ，１ｂ及びベビー球１９の点灯状態が制御される。
【００４７】
また、環形蛍光ランプ１ａ、１ｂの少なくとも一方が点灯装置３の高周波点灯装置３０から電力供給された場合には、点灯時間累積手段３１にその電力供給時間が累積点灯時間を検出して累積値として記憶される。
【００４８】
そして、点灯時間累積手段３１から判別手段３２に入力された累積点灯時間に基づいて環形蛍光ランプ１ａ、１ｂの現在の照明効率が判別手段３２により判別される。
【００４９】
すなわち、累積点灯時間が基準値Ａから第二基準値Ｂまでの間であると照明効率が適正な範囲内であると判別手段３２が判別し、この結果を報知情報制御手段３３へ出力し、報知情報制御手段３３はＬＥＤ４を青色で点灯させる。
【００５０】
また、累積点灯時間が第二基準値Ｂを超え、かつ、第三基準値Ｃの範囲内であると照明効率が適正な範囲内にはないと判別手段３２が判別し、この結果を報知情報制御手段３３へ出力し、報知情報制御手段３３はＬＥＤ４を黄色で点灯させる。
【００５１】
さらにまた、累積点灯時間が第三基準値Ｃを超え、かつ、第四基準値Ｄの範囲内であると環形蛍光ランプ１ａ、１ｂが寿命末期直前であると判別手段３２が判別し、この結果を報知情報制御手段３３へ出力し、報知情報制御手段３３はＬＥＤ４を赤色で点灯させる。
【００５２】
さらにまた、累積点灯時間が第３基準値Ｄを超えると環形蛍光ランプ１ａ、１ｂ寿命末期であると判別手段３２が判別し、この結果を報知情報制御手段３３へ出力し、報知情報制御手段３３はＬＥＤ４を赤色で点滅させる。
【００５３】
これにより、照明器具の使用者は、ＬＥＤ４の報知情報から常に環形蛍光ランプ１ａ、１ｂの照明効率の状態を知ることができる。
【００５４】
なお、本実施形態においては、ＬＥＤ４を１個のみ用いた構造を開示したが、環形蛍光ランプ１ａ、１ｂ各々の照明効率を報知することができるようにそれぞれの環形蛍光ランプ１ａ１ｂに対応する２個のＬＥＤ４、４を設けてもよい。
【００５５】
本実施形態によれば、使用者へ環形蛍光ランプ１ａ、１ｂの少なくとも一方の照明効率を常に報知するＬＥＤ４と、少なくとも環形蛍光ランプ１ａ、１ｂのいずれか一方の点灯累積時間を検出する点灯時間累積検出手段３１と、点灯時間累積検出手段３１の累積時間から環形蛍光ランプ１ａ、１ｂの照明効率を四段階に判別する判別手段３２と、判別手段３２の判別結果に基づいて、ＬＥＤ４の報知情報を可変させる報知情報制御手段３３とを具備することにより、ＬＥＤ４の報知情報から常に環形蛍光ランプ１ａ、１ｂの照明効率の状態を知らせることができるので、適切な時期に環形蛍光ランプ１ａ、１ｂの交換を促すことができる。
【００５６】
また、使用者にも「少しでも暗くなれば交換したい」「少しく暗くなってもいいが、ランプが切れる前には交換したい」「ランプが切れる直前まで使用したい」等の使用者自身の好みに応じた環形蛍光ランプ１ａ、１ｂの交換を行う目安を把握しやすくすることができる。
【００５７】
次に第二実施形態について図５を参照して説明する。図５は、第二実施形態の点灯装置を示すブロック図である。なお、第一実施形態と同様の構成については同様の符号を付してその説明は省略する。
【００５８】
本実施形態は、第一実施形態の報知手段であるＬＥＤ４の報知作用をベビー球５０が兼ねるものである。
【００５９】
本実施形態のベビー球５０は、ＬＥＤからなり、このベビー球５０を環形蛍光ランプ１ａ、１ｂが消灯した際に点灯させ得るように制御するとともに、判別手段３２の判別結果に基づいて、ベビー球５０の点灯状態を可変させる補助光源制御手段３４に接続されている。
【００６０】
なお、補助光源制御手段３４は、高周波点灯装置３０に接続されているとともに、判別手段３２に接続されており、例えばベビー球５０を黄（電球と略同一の色彩）、赤、黄色での点滅及び赤色での点滅という順番で点灯状態が可変となるように制御するものである。
【００６１】
本実施形態によれば、点灯時間累積検出手段３１から判別手段３２に入力された累積点灯時間に基づいて環形蛍光ランプ１ａ、１ｂの現在の照明効率が判別手段３２により判別される。
【００６２】
すなわち、累積点灯時間が基準値Ａから第二基準値Ｂまでの間であると照明効率が適正な範囲内であると判別手段３２が判別し、この結果を補助光源制御手段３４へ出力し、補助光源制御手段３４はベビー球５０を黄色で点灯させる。
【００６３】
また、累積点灯時間が第二基準値Ｂを超え、かつ、第三基準値Ｃの範囲内であると照明効率が適正な範囲内にはないと判別手段３２が判別し、この結果を補助光源制御手段３４へ出力し、補助光源制御手段３４はＬＥＤ４を赤色で点灯させる。
【００６４】
さらにまた、累積点灯時間が第三基準値Ｃを超え、かつ、第四基準値Ｄの範囲内であると環形蛍光ランプ１ａ、１ｂが寿命末期直前であると判別手段３２が判別し、この結果を補助光源制御手段３４へ出力し、補助光源制御手段３４はＬＥＤ４を黄色で点滅させる。
【００６５】
さらにまた、累積点灯時間が第３基準値Ｄを超えると環形蛍光ランプ１ａ、１ｂ寿命末期であると判別手段３２が判別し、この結果を補助光源制御手段３４へ出力し、補助光源制御手段３４はＬＥＤ４を赤色で点滅させる。
【００６６】
なお、本実施形態のベビー球５０の環形蛍光ランプ１ａ、１ｂの照明効率を報知する場合は、環形蛍光ランプ１ａ、１ｂが消灯している時である。
【００６７】
したがって、本実施形態によれば、ベビー球５０の点灯状態から環形蛍光ランプ１ａ、１ｂの照明効率の状態を知らせることができるので、適切な時期に環形蛍光ランプ１ａ、１ｂの交換を促すことができる。
【００６８】
また、使用者にも「少しでも暗くなれば交換したい」「少しく暗くなってもいいが、ランプが切れる前には交換したい」「ランプが切れる直前まで使用したい」等の使用者自身の好みに応じた環形蛍光ランプ１ａ、１ｂの交換を行う目安を把握しやすくすることができる。
【００６９】
なお、第一、二実施形態では主光源として環形蛍光ランプ１ａ、１ｂを用いたが、主光源が例えば、放電灯、ＬＥＤ、有機ＥＬ等のいかなる構造のものであったとしても、第一、二実施形態の点灯時間累積検出手段３１、判別手段３２、報知情報制御手段３３又は補助光源制御手段３４を用いれば第一、第二実施形態と同様の効果を得ることができる。
【００７０】
さらにまた、第一、二実施形態においては、点灯時間累積検出手段３１に記憶されている累積点灯時間をリセットできるリセット手段も適宜設けることができる。
【００７１】
【発明の効果】
請求項１記載の発明によれば、主光源、この主光源の点灯を制御するとともに、主光源が消灯した際に補助光源を点灯させ得るように制御することができる点灯制御手段と；外部へ主光源の照明効率を常に報知する報知手段と；主光源の点灯累積時間を検出する点灯時間累積検出手段と；点灯時間累積検出手段の累積時間から主光源の照明効率を判別する判別手段と；判別手段の判別結果に基づいて、報知手段の報知情報を可変させる報知情報制御手段と；を具備することにより、主光源の照明効率を常に報知することができるので、使用者が適切な時期に主光源の交換をしやすくすることができる。
【００７２】
また、光源がいかなる構造を有していたとしても少なくとも寿命末期直前の情報を報知でいるので、寿命末期光源による種々の不具合を抑制することができる。
【００７３】
請求項２記載の発明によれば、主光源、この主光源の点灯を制御する点灯制御手段と；主光源の点灯累積時間を検出する点灯時間累積検出手段と；点灯時間累積検出手段の累積時間から主光源の照明効率を判別する判別手段と；補助光源、この補助光源を主光源が消灯した際に点灯させ得るように制御するとともに、判別手段の判別結果に基づいて、補助光源の点灯状態を可変させる補助光源制御手段と；を具備することにより、主光源の照明効率を報知することができるので、使用者が適切な時期に主光源の交換をしやすくすることができる。
【００７４】
また、光源がいかなる構造を有していたとしても少なくとも寿命末期直前の情報を報知でいるので、寿命末期光源による種々の不具合を抑制することができる。
【００７５】
請求項３記載の発明によれば、請求項１または２いずれか一記載の作用効果を有する。
【図面の簡単な説明】
【図１】第一実施形態の照明器具の断面図
【図２】同上図１の照明器具の底面図
【図３】同上点灯装置を示すブロック図
【図４】同上点灯装置の作用を示す説明図
【図５】第二実施形態の点灯装置を示すブロック図
【符号の説明】
１ａ、１ｂ…主光源である環形蛍光ランプ
３０…点灯制御手段である高周波点灯回路
４…報知手段であるＬＥＤ
３１…点灯時間累積検出手段
３２…判別手段
３３…報知情報制御手段
３…点灯装置。
５、５０…補助光源であるベビー球
１１…器具本体
【図１】
2004127527.tif 000003
【図２】
2004127527.tif 000004
【図３】
2004127527.tif 000005
【図４】
2004127527.tif 000006
【図５】
2004127527.tif 000007